(57)【要約】      （修正有）【課題】容器の発泡層の厚さを増加させ、耐加水分解性や耐引っかき性及び断熱効果がより優れ、工程速度を向上して、作製のエネルギー消費を節約できる発泡容器構造を提供する。【解決手段】容器１と、容器１の少なくとも一つの表面に設置される発泡層２と、が含有され、発泡層２は、発泡材料を均一的に容器表面に塗布された後、加熱成型され、上記発泡材料は、食品グレードポリプロピレン分散液やポリビニルアルコール（ＰＶＡ）、発泡剤、粘着付与剤及び添加剤からなる。【選択図】図２
0003200622.tif 000002
【実用新案登録請求の範囲】
【請求項１】
容器と、
容器の少なくとも一つの表面に設置される発泡層と、が含有され、
上記発泡層は、発泡材料を均一的に容器表面に塗布された後、加熱成型され、上記発泡材料は、食品グレードPU分散液やポリビニルアルコール（PVA）、発泡剤、粘着付与剤及び添加剤からなる、
ことを特徴とする発泡容器構造。
【請求項２】
上記容器は、紙製カップ体や紙製皿体或いは紙製弁当箱であることを特徴とする請求項１に記載の発泡容器構造。
【請求項３】
上記発泡層は、容器の外側表面に設けられることを特徴とする請求項１に記載の発泡容器構造。
【請求項４】
上記発泡層は、容器の内側表面に設けられることを特徴とする請求項１に記載の発泡容器構造。
【請求項５】
上記発泡層は、容器の外側と内側の表面に設けられることを特徴とする請求項１に記載の発泡容器構造。
【請求項６】
上記発泡材料は、70％〜90％の食品グレードPU分散液や5％〜15％のポリビニルアルコール（PVA）、0％〜10％の発泡剤、1％〜5％の粘着付与剤及び0％〜3％の添加剤からなることを特徴とする請求項１に記載の発泡容器構造。
【請求項７】
上記発泡剤は、食品グレード化学性発泡剤や物理性発泡剤或いは機械性発泡剤であることを特徴とする請求項６に記載の発泡容器構造。
【請求項８】
上記粘着付与剤は、食品グレードSodium polyacrylateやポリイソブチレン(PolyisoButyene)、Xanthan Gum或いはカードラン(Gurdlan)であることを特徴とする請求項６に記載の発泡容器構造。
【請求項９】
上記添加剤は、橋かけ剤や鎖延長剤、消泡剤或いは触媒であって、上記橋かけ剤は、食品グレードpolyaziridineやDi-aziridine、polycarbodiimide或いはcyclopolyiimieであり、上記消泡剤は、食品グレードsiliconやsilicon compound、polyether、alcohol、アルコール化合物、amide或いはparafin waxであることを特徴とする請求項６に記載の発泡容器構造。
【請求項１０】
上記発泡の温度は、であることを特徴とする請求項１に記載の発泡容器構造。
【請求項１１】
上記発泡材料は、電子レンジによって加熱されることを特徴とする請求項１に記載の発泡容器構造。
【請求項１２】
上記電子レンジは、400w〜800wで、30秒±10％に、加熱することを特徴とする請求項１1に記載の発泡容器構造。
【請求項１３】
上記発泡材料は、加熱されて発泡層が形成された後、その厚さが、少なくとも、6倍に増加することを特徴とする請求項１に記載の発泡容器構造。
【考案の詳細な説明】
【技術分野】
【０００１】
本考案は、発泡容器構造に関し、特に、上記容器の発泡層の厚さが増加されて、耐加水分解性や耐引っかき性及び断熱効果がより優れ、工程速度を向上して、作製のエネルギー消費を節約できるものに関する。
【背景技術】
【０００２】
一般の、従来の発泡容器は、作製する時、容器表面にポリプロピレン（PU）やポリエチレン（PE）或いはPLA等の材料を塗布して、発泡材料とし、その後、同時に、容器と発泡材料をベーキングして、ポリプロピレン（PU）やポリエチレン（PE）或いはPLA等の材料を容器表面に発泡層として形成する。
【０００３】
しかし、上記従来のポリプロピレン（PU）やポリエチレン（PE）或いはPLAを発泡材料とする場合、ポリプロピレン（PU）やポリエチレン（PE）或いはPLAは、単純のプラスッチック材料であるため、ポリプロピレン（PU）やポリエチレン（PE）或いはPLAをベーキングする時、受熱すると発泡効果がよくなくなり、また、ベーキング温度が120℃に加熱されると、上記ポリエチレン（PE）の紙カップの内膜は過熱により脱離現象が発生する。
【０００４】
また、容器表面において、ポリプロピレン（PU）やポリエチレン（PE）或いはPLA等を、発泡材料としてベーキング加熱する時、そのベーキング方式によれば、同時に、容器と発泡材料等に対して加熱するが、事実上、発泡材料だけを加熱すればよく、加熱過程において、容器と発泡材料とともにベーキングによる熱エネルギーを吸収し、そのため、加熱時間や温度を制御できないだけでなく、容器と発泡材料とが熱を吸収するため、エネルギーを無駄にすることなる。
【０００５】
本考案者は、上記欠点を解消するため、慎重に研究し、また、学理を活用して、有効に上記欠点を解消でき、設計が合理である本考案を提案する。
【考案の概要】
【考案が解決しようとする課題】
【０００６】
本考案の主な目的は、上記容器の発泡層の厚さを増加させ、耐加水分解性や耐引っかき性及び断熱効果がより優れ、工程速度を向上して、作製のエネルギー消費を節約できる発泡容器構造を提供する。
【課題を解決するための手段】
【０００７】
本考案は、上記の目的を達成するための発泡容器構造であり、容器と、容器の少なくとも一つの表面に設置される発泡層と、が含有され、上記発泡層は、発泡材料を均一的に容器表面に塗布や印刷した後、加熱成型され、上記発泡材料は、食品グレードPU分散液やポリビニルアルコール（PVA）、発泡剤、粘着付与剤及び添加剤からなる。
【０００８】
本考案の実施例によれば、上記容器は、紙製カップ体や紙製皿体或いは紙製弁当箱である。
【０００９】
本考案の実施例によれば、上記発泡層は、容器の外側表面に設けられる。
【００１０】
本考案の実施例によれば、上記発泡層は、容器の内側表面に設けられる。
【００１１】
本考案の実施例によれば、上記発泡層は、容器の外側と内側の表面に設けられる。
【００１２】
本考案の実施例によれば、上記発泡材料は、70％〜90％の食品グレードPU分散液や5％〜15％のポリビニルアルコール（PVA）、0％〜10％の発泡剤、1％〜5％の粘着付与剤及び0％〜3％の添加剤からなる。
【００１３】
本考案の実施例によれば、上記発泡剤は、食品グレード化学性発泡剤や物理性発泡剤或いは機械性発泡剤である。
【００１４】
本考案の実施例によれば、上記粘着付与剤は、食品グレードSodium polyacrylateやポリイソブチレン(PolyisoButyene)、Xanthan Gum或いはカードラン(Gurdlan)である。
【００１５】
本考案の実施例によれば、上記添加剤は、橋かけ剤や鎖延長剤、消泡剤或いは触媒であり、上記橋かけ剤は、食品グレードpolyaziridineやDi-aziridine、polycarbodiimide或いはcyclopolyiimieであり、上記消泡剤は、食品グレードsiliconやsilicon compound、polyether、alcohol、アルコール化合物、amide或いはparafin waxである。
【００１６】
本考案の実施例によれば、上記発泡材料の加熱温度は、100℃±10℃である。
【００１７】
本考案の実施例によれば、上記発泡材料は、電子レンジによって加熱される。
【００１８】
本考案の実施例によれば、上記電子レンジは、400w〜800wで、30秒±10％に加熱する。
【００１９】
本考案の実施例によれば、上記発泡材料は、加熱されて発泡層が形成された後、その厚さが、少なくとも、6倍に増加する。
【００２０】
以下、図面を参照しながら、本考案の特徴や技術内容について、詳しく説明するが、それらの図面等は、参考や説明のためであり、本考案は、それによって制限されることが無い。
【図面の簡単な説明】
【００２１】
【図１】本考案の第一の実施例の外観概念図である。
【図２】本考案の第一の実施例の断面状態概念図である。
【図３】本考案の第二の実施例の外観概念図である。
【図４】本考案の第二の実施例の断面状態概念図である。
【図５】本考案の第三の実施例の外観概念図である。
【図６】本考案の第三の実施例の断面状態概念図である。
【考案を実施するための形態】
【００２２】
図１と図２は、それぞれ、本考案の第一の実施例の外観概念図と本考案の第一の実施例の断面状態概念図である。図のように、本考案に係る発泡容器構造は、容器１と発泡層２とから構成される。
【００２３】
上記の容器１は、紙製カップ体や紙製皿体或いは紙製弁当箱であり、本考案の容器１は紙製カップ体を実施例とする。
【００２４】
上記発泡層２は、容器１の外側表面に設置され、上記発泡層２は、発泡材料を均一的に容器１の表面に塗布や印刷した後、加熱成型され、上記発泡材料は、食品グレードPU分散液やポリビニルアルコール（PVA）、発泡剤、粘着付与剤及び添加剤からなり、また、70％〜90％の食品グレードPU分散液や5％〜15％のポリビニルアルコール（PVA）、0％〜10％の発泡剤、1％〜5％の粘着付与剤及び0％〜3％の添加剤からなり、また、上記発泡剤は、食品グレード化学性発泡剤や物理性発泡剤或いは機械性発泡剤であり、上記粘着付与剤は、食品グレードSodium polyacrylateやポリイソブチレン(PolyisoButyene)、Xanthan Gum或いはカードラン(Gurdlan)であり、上記添加剤は、橋かけ剤や鎖延長剤、消泡剤或いは触媒であり、上記橋かけ剤は、食品グレードpolyaziridineやDi-aziridine、polycarbodiimide或いはcyclopolyiimie等であり、上記消泡剤は、食品グレードsiliconやsilicon compound、polyether、alcohol、アルコール化合物、amide或いはparafin waxである。上記の構造により、新規の発泡容器構造が構成される。
【００２５】
本考案によれば、上記容器１の少なくとも一つの面に、均一的に、発泡材料を塗布した後、電子レンジ３によって、400w〜800wで、30秒±10％に加熱する方式により加熱され、また、上記発泡材料が、100℃±10℃の加熱温度に達すると、上記発泡材料に、粘着性のポリビニルアルコール（PVA）と高分子水溶性を有する食品グレードPU分散液が含有されるため、電子レンジ３で、加熱する時、電子レンジ３が、水溶液だけに対して加熱する特性を利用して、直接に、発泡材料にあるポリビニルアルコール（PVA）が受熱されて、容器１の表面に、均一的に、多数の封止された泡が生成され、また、食品グレードPU分散液が、容器１の表面に付着したため、熱エネルギーを無駄することなく、工程速度が向上されるだけでなく、作製するためのエネルギー消費が節約されるため、これにより、発泡材料が受熱した後、容器１の一面に、発泡層２が形成され、上記発泡材料が、加熱されて発泡層２が形成された後、その厚さが、少なくとも、6倍に増加され、そのため、厚さを増加して、耐加水分解性や耐引っかき性及び断熱効果がより優れる。
【００２６】
図３と図４は、それぞれ、本考案の第二の実施例の外観概念図と本考案の第二の実施例の断面状態概念図である。図のように、本考案は、上記第一の実施例による構造形態の外に、更に、この第二の実施例の構造形態があり、それらの異なる箇所は、上記発泡層２aが、上記第一の実施例による方式により、容器１の内側表面に設けられ、これにより、第一の実施例と同じ効果が得られ、また、より実用的になる。
【００２７】
図５と図６は、それぞれ、本考案の第三の実施例の外観概念図と本考案の第三の実施例の断面状態概念図である。図のように、本考案は、上記第一と第二の実施例による構造形態の外に、更に、この第三の実施例の構造形態があり、それらの異なる箇所は、上記発泡層２、２aが、上記第一の実施例による方式により、容器１の外側と内側表面に設けられ、これにより、第一の実施例と同じ効果が得られ、また、容器１は、保温の効果が実現され、そのため、より実用的になる。
【００２８】
以上のように、本考案に係る発泡容器構造は、有効に、従来の諸欠点を解消でき、上記容器の発泡層の厚さが、増加され、より優れた耐加水分解性佳や耐引っかき性及び断熱効果が得られ、工程速度を向上して、作製のエネルギー消費を節約でき、そのため、本考案は、より進歩的かつより実用的で、法に従って実用新案登録請求を出願する。
【００２９】
以上は、ただ、本考案のより良い実施例であり、本考案は、それによって制限されることが無く、本考案に係わる実用新案登録請求の範囲や明細書の内容に基づいて行った等価の変更や修正は、全てが、本考案の考案登録請求の範囲内に含まれる。
【符号の説明】
【００３０】
１  容器
２、２a  発泡層
【図１】
0003200622.tif 000003
【図２】
0003200622.tif 000004
【図３】
0003200622.tif 000005
【図４】
0003200622.tif 000006
【図５】
0003200622.tif 000007
【図６】
0003200622.tif 000008
【手続補正書】
【提出日】平成27年8月13日(2015.8.13)
【手続補正１】
【補正対象書類名】実用新案登録請求の範囲
【補正対象項目名】請求項１
【補正方法】変更
【補正の内容】
【請求項１】
容器と、
容器の少なくとも一つの表面に設置される発泡層と、が含有され、
上記発泡層は、発泡材料を均一的に容器表面に塗布された後、加熱成型され、上記発泡材料は、食品グレード  ポリプロピレン（PU）分散液やポリビニルアルコール（PVA）、発泡剤、粘着付与剤及び添加剤からなる、
ことを特徴とする発泡容器構造。
【手続補正２】
【補正対象書類名】実用新案登録請求の範囲
【補正対象項目名】請求項６
【補正方法】変更
【補正の内容】
【請求項６】
上記発泡材料は、70％〜90％の食品グレード  ポリプロピレン（PU）分散液や5％〜15％のポリビニルアルコール（PVA）、0％〜10％の発泡剤、1％〜5％の粘着付与剤及び0％〜3％の添加剤からなることを特徴とする請求項１に記載の発泡容器構造。
【手続補正３】
【補正対象書類名】実用新案登録請求の範囲
【補正対象項目名】請求項８
【補正方法】変更
【補正の内容】
【請求項８】
上記粘着付与剤は、食品グレード  ナトリウムポリアクリレート(Sodium polyacrylate)やポリイソブチレン(PolyisoButyene)、キサンゴム(Xanthan Gum)或いはカードラン(Curdlan)であることを特徴とする請求項６に記載の発泡容器構造。
【手続補正４】
【補正対象書類名】実用新案登録請求の範囲
【補正対象項目名】請求項９
【補正方法】変更
【補正の内容】
【請求項９】
上記添加剤は、橋かけ剤や鎖延長剤、消泡剤或いは触媒であって、上記橋かけ剤は、食品グレード  ポリアジリジン(polyaziridine)やダイアジリジン(Di-aziridine)、ポリカルボジイミド(polycarbodiimide)或いはサイクロポリイミン(cyclopolyimine)であり、上記消泡剤は、食品グレード  シリコン(silicon)やシリコン化合物(silicon compound)、ポリエーテル(polyether)、アルコール(alcohol)、アルコール化合物、アミド(amide)或いはパラフィンワックス(paraffin wax)であることを特徴とする請求項６に記載の発泡容器構造。
【手続補正５】
【補正対象書類名】実用新案登録請求の範囲
【補正対象項目名】請求項１０
【補正方法】変更
【補正の内容】
【請求項１０】
上記発泡材料の加熱温度は、100℃±10℃であることを特徴とする請求項１に記載の発泡容器構造。
【手続補正６】
【補正対象書類名】明細書
【補正対象項目名】００１４
【補正方法】変更
【補正の内容】
【００１４】
本考案の実施例によれば、上記粘着付与剤は、食品グレードナトリウムポリアクリレート(Sodium polyacrylate)やポリイソブチレン(PolyisoButyene)、キサンゴム(Xanthan Gum)或いはカードラン(Curdlan)である。
【手続補正７】
【補正対象書類名】明細書
【補正対象項目名】００２４
【補正方法】変更
【補正の内容】
【００２４】
上記発泡層２は、容器１の外側表面に設置され、上記発泡層２は、発泡材料を均一的に容器１の表面に塗布や印刷した後、加熱成型され、上記発泡材料は、食品グレードPU分散液やポリビニルアルコール（PVA）、発泡剤、粘着付与剤及び添加剤からなり、また、70％〜90％の食品グレードPU分散液や5％〜15％のポリビニルアルコール（PVA）、0％〜10％の発泡剤、1％〜5％の粘着付与剤及び0％〜3％の添加剤からなり、また、上記発泡剤は、食品グレード化学性発泡剤や物理性発泡剤或いは機械性発泡剤であり、上記粘着付与剤は、食品グレード  ナトリウムポリアクリレート（Sodium polyacrylate）やポリイソブチレン(PolyisoButyene)、キサンゴム（Xanthan Gum）或いはカードラン(Curdlan)であり、上記添加剤は、橋かけ剤や鎖延長剤、消泡剤或いは触媒であり、上記橋かけ剤は、食品グレード  ポリアジリジン（polyaziridine）やダイアジリジン(Di-aziridine)、ポリカルボジイミド(polycarbodiimide)或いはサイクロポリイミン(cyclopolyimine)等であり、上記消泡剤は、食品グレード  シリコン(silicon)やシリコン化合物(silicon compound)、ポリエーテル(polyether)、アルコール(alcohol)、アルコール化合物、アミド(amide)或いはパラフィンワックス(paraffin wax)である。上記の構造により、新規の発泡容器構造が構成される。